(57)【要約】【課題】誘導加熱装置の調理中の冷却ファンのノイズ及び調理中の調理ノイズなどを低減し、快適な調理環境を作ること。【解決手段】誘導加熱装置に集音装置と音声装置を設け、調理中に発生するノイズを拾い、音声処理を施してノイズキャンセル信号を作成し、それを音声装置で再生するもので、ノイズの低減を図ることができる。【選択図】図２
2008288062.tif 000002
【特許請求の範囲】
【請求項１】
加熱コイルと、前記加熱コイルを制御する制御回路と、前記加熱コイル及び前記制御回路を冷却する冷却ファンと、音声にて機器の操作や手順を案内する音声装置と、周囲のノイズを集音する為の集音装置を備え、冷却時に発生する冷却ファンの騒音や調理中に発生する調理ノイズを前記集音装置により集音し、前記制御回路により音声処理を施し、前記冷却ファンの騒音や調理ノイズの逆位相の音声波形を生成し、前記音声装置より生成した音声波形を再生させる事により、ノイズをキャンセルし、騒音を低減する事が可能となる誘導加熱装置。
【請求項２】
外部音声出力端子及び外部音声入力端子を備え、外部スピーカーや外部マイクを接続できる請求項１に記載の誘導加熱装置。
【請求項３】
音声出力レベル及び音声入力レベルを無段階に調整可能な請求項１に記載の誘導加熱装置。
【請求項４】
ノイズキャンセル機能のＯＮ／ＯＦＦ機能を有し、ノイズをキャンセルしない設定時には音声増幅器として外部入力端子から音楽などを入力可能な機能を備えた請求項１に記載の誘導加熱装置。
【発明の詳細な説明】
【技術分野】
【０００１】
本発明は、一般家庭等で使用する誘導加熱装置に関するものである。
【背景技術】
【０００２】
従来、この種の誘導加熱装置は、加熱コイル及びそれを制御する制御回路を備えており、それらの発熱を冷却するための冷却ファンを備えている。図１において、１は加熱コイル、２は制御回路部、３は冷却ファンにより構成されている。４は機器の操作を音声で案内するための音声装置を内蔵している（例えば、特許文献１参照）。
【特許文献１】特開２００６−１７２９７７号公報
【発明の開示】
【発明が解決しようとする課題】
【０００３】
しかしながら、近年の高出力化により発熱素子の損失による発熱量が増加し、前記従来の構成では、冷却手段であるファンの風量を増加させるが為に、冷却ファンの騒音も大きくなる傾向にあった。それに加えて、調理中の音も大きいため、調理中に外部の音が聞こえ難く、外部の音を聞くためには一旦調理を停止し、誘導加熱装置の加熱を停止する必要があるという課題を有していた。
【０００４】
本発明は、前記従来の課題を解決するもので、調理中の騒音を低減し、快適な調理環境を提供する事を目的とする。
【課題を解決するための手段】
【０００５】
前記従来の課題を解決するために、本発明の誘導加熱装置は、集音装置にて冷却ファン及び調理中のノイズを集音し、その音を制御回路内の信号処理部で逆位相の音声に変換し、その変換された音声を音声装置により再生させる事で、これによって、ノイズをキャンセルし騒音を低減するである。
【発明の効果】
【０００６】
本発明の誘導加熱装置は、調理中の騒音を低減させる事ができる。
【発明を実施するための最良の形態】
【０００７】
第１の発明は、誘導加熱装置の加熱を司る加熱コイルと、前記加熱コイルの制御を司る制御回路と、前記加熱コイルと制御回路の発熱の放熱を助ける冷却ファンと、調理器の使用方法を音声で案内するための音声回路と、前記冷却ファンの騒音や調理中のノイズを集音する集音装置とを備えた誘導加熱装置であり、集音装置により集音した騒音及びノイズを音声処理し、音声回路により再生する事で騒音を低減する事が可能である。また、基板の固定や冷却方法等を従来の方法と変える等、複雑になることはなく、前記冷却ファンの回転数を操作することもないので、動作の安定性が低下することもない。
【０００８】
第２の発明は、特に、第１の発明の誘導加熱装置において、音声回路と集音回路を外部接続可能としたもので、最適な位置に外部スピーカー並びに外部マイクを配置する事が可能である。
【０００９】
第３の発明は、特に、第１の発明及び第２の発明の誘導加熱装置において、音声入力レベルと音声出力レベルを無段階に調整可能とし、ノイズキャンセルの効果レベルを好みの状態に調整可能としたものである。
【００１０】
第４の発明は、特に、第１、第２及び第３の発明の誘導加熱装置において、ノイズキャンセル機能をＯＮ／ＯＦＦできる機能を備え、不要な時はノイズキャンセル機能を切る事ができ、音声回路を増幅器として使用可能で、外部音声入力端子から音楽プレーヤー等に接続し、音楽を楽しみながら調理を行うことを可能としたものである。
【００１１】
以下本発明の実施の形態について、図面を参照しながら説明する。なお、この実施の形態によって本発明が限定されるものではない。
【００１２】
（実施の形態１）
図２、図３は、本発明の第１の実施の形態における誘導加熱装置の全体構成図である。
【００１３】
図２及び図３において、１は加熱コイル、２は前記加熱コイルを制御する制御回路、３は前記加熱コイル及び制御回路を冷却する冷却ファン、４は音声にて機器の操作や手順を案内する音声装置、５は周囲のノイズを集音する為の集音装置である。集音装置５により、調理中の冷却ファンの発する音や、調理ノイズを拾い、それを制御回路内の音声処理回路により音声処理を施し、瞬時に集音したノイズの音声波形の逆位相の波形を生成し、それを音声回路のスピーカーにて再生することにより、ノイズがキャンセルし合ってノイズを低減する事が可能となる。
【００１４】
（実施の形態２）
図４は、さらに外部音声入出力端子８を備え、音声回路４のスピーカー６と集音回路のマイク７を外部接続可能としたもので、外部スピーカー６と外部マイク７との配置を調整する事でノイズキャンセル効果を一番得られる所に配置する事を可能としたものである。
【００１５】
（実施の形態３）
図５は、音声出力レベルと音声入力レベルを任意に可変できるボリューム９を備えたもので、ノイズキャンセルの効果レベルを任意に調整することが可能とすることができる。
【００１６】
（実施の形態４）
図６、図７は、ノイズキャンセル機能をＯＮ／ＯＦＦできるスイッチ、及びＯＦＦ時には音声拡声器として音声入力装置と音声出力装置を使う事ができる切替スイッチ１０を有するもので、外部音声入力端子を備えた場合は、入力を集音装置の代わりに音楽プレーヤー等の機器を接続して、音楽再生装置として音楽を楽しみながら調理をする事が可能とすることができる。
【産業上の利用可能性】
【００１７】
以上のように、本発明にかかる誘導加熱装置は、ノイズの音声波形の位相を反転処理し、それを音声装置で再生することでノイズをキャンセルすることができるので、誘導加熱装置に限らず、発熱素子とその熱を放熱させるためのヒートシンクと放熱を促す冷却ファンを備えた電子機器にも応用できる。
【図面の簡単な説明】
【００１８】
【図１】従来の誘導加熱調理装置の全体構造図
【図２】本発明の第１の実施の形態における誘導加熱装置の全体構造図
【図３】本発明の第１の実施の形態における誘導加熱装置の全体構造図
【図４】本発明の第２の実施の形態における誘導加熱装置の全体構造図
【図５】本発明の第３の実施の形態における誘導加熱装置及び音声装置部の拡大図
【図６】本発明の第４の実施の形態における誘導加熱装置の全体構造図及び音声装置部の拡大図
【図７】本発明の第４の実施の形態における誘導加熱装置の全体構造図
【符号の説明】
【００１９】
１  加熱コイル
２  制御回路
３  冷却ファン
４  音声装置（内蔵）
５  集音装置
６  外部スピーカー
７  外部マイク
８  外部音声入出力端子
９  ボリューム
１０  切替スイッチ
【図１】
2008288062.tif 000003
【図２】
2008288062.tif 000004
【図３】
2008288062.tif 000005
【図４】
2008288062.tif 000006
【図５】
2008288062.tif 000007
【図６】
2008288062.tif 000008
【図７】
2008288062.tif 000009